(57)【要約】【課題】  厚手の織物壁装材や繊維を不規則に表層に備えた壁装材でも良好な裁断状態を得ることのできる壁紙糊付機用スリッター及び壁紙糊付機用スリッターユニットを得る。【解決手段】  シート状の壁装材の搬送方向側縁部を搬送方向に沿って裁断する壁紙糊付機用スリッターにおいて、壁装材の表面側又は裏面側で搬送方向に直交し壁装材面に平行する位置に配されたシャフトと、このシャフト上に軸止された肉薄の刃部を備えた壁装材裁断用回転刃と、壁装材を介した対向面側の裁断地点で前記回転刃の刃部周縁部を側面側から回転方向に交叉する方向に押圧する押圧部材とを備えたものである。【選択図】      図３
2007111818.tif 000002
【特許請求の範囲】
【請求項１】
シート状の壁装材の搬送方向側縁部を搬送方向に沿って裁断する壁紙糊付機用スリッターにおいて、
前記壁装材の表面側又は裏面側で搬送方向に直交し、壁装材面に平行する位置に配されたシャフトと、
このシャフト上に軸止された肉薄の刃部を備えた壁装材裁断用回転刃と、
前記壁装材を介した対向面側の裁断地点で前記回転刃の刃部周縁部を側面側から回転方向に交叉する方向に押圧する押圧部材とを備えたことを特徴とする壁紙糊付用スリッター。
【請求項２】
前記押圧部材が、前記シャフト上で回転している回転刃の刃部を裁断地点で微小に撓ませるものであることを特徴とする請求項１に記載の壁紙糊付用スリッター。
【請求項３】
前記押圧部材として、前記壁装材を介した対向面側で前記シャフトと略平行に配された取付軸に回動自在に軸支された回転部材を備え、
前記回転部材が、前記裁断地点を端部とした前記回転刃の周縁部との部分的な重なり領域で前記回転刃に押圧される平坦面部を備え、
この平坦面部の回転刃の刃部に対する傾斜角度が３度以上１０度以下であることを特徴とする請求項１又は２に記載の壁紙糊付用スリッター。
【請求項４】
駆動手段を備えたスリッター本体に対して着脱自在のスリッターユニットであって、
壁装材の表面側又は裏面側で搬送方向に直交し、壁装材面に平行する位置で駆動系の駆動によって回動可能に配されるシャフトと、
このシャフト上に軸止された肉薄の刃部を備えた壁装材裁断用回転刃と、
前記壁装材を介した対向面側の裁断地点で前記回転刃の刃部周縁部を側面側から回転方向に交叉する方向に押圧する押圧部材とを備えたことを特徴とする壁紙糊付用スリッターユニット。
【請求項５】
前記押圧部材が、前記シャフト上で回転している回転刃の刃部を裁断地点で微小に撓ませるものであることを特徴とする請求項４に記載の壁紙糊付用スリッターユニット。
【請求項６】
前記押圧部材として、前記壁装材を介した対向面側で前記シャフトと略平行に配された取付軸に回動自在に軸支された回転部材を備え、
前記回転部材が、前記裁断地点を端部とした前記回転刃の周縁部との部分的な重なり領域で前記回転刃に押圧される平坦面部を備え、
この平坦面部の回転刃の刃部に対する傾斜角度が３度以上１０度以下であることを特徴とする請求項４又は５に記載の壁紙糊付用スリッターユニット。
【請求項７】
前記回転部材がスリッターユニット本体に両端を固定された取付軸にベアリングを介して貫通支持され、
前記取付軸が前記回転部材の平坦面部の回転刃の刃部に対する傾斜角度が３度以上１０度以下となるように傾斜させてユニット本体に取付けられ、
前記回転部材を前記回転刃方向に付勢する付勢手段を備えたことを特徴とする請求項６に記載の壁紙糊付機用スリッターユニット。
【発明の詳細な説明】
【技術分野】
【０００１】
本発明は、壁紙糊付機で壁装材に糊を塗布する際に使用する壁紙糊付機用スリッター及び壁紙糊付機用スリッターユニットに関するものである。
【背景技術】
【０００２】
壁紙糊付機は、帯状に搬送されるシート状壁装材を後方から引き入れられて前方から引き出される間にこのシート状壁装材の裏面へ糊の塗布を行なうものである。この壁紙糊付機の本体部には、フック等で着脱自在に取付けたり、一体化して取付けられた壁装材裁断装置（スリッター）によって、シート状壁装材の側縁部をその搬送方向に沿って裁断し、所望の壁装材幅に調整していた。
【０００３】
従来の一般的な壁紙糊付機用のスリッターは、シート状壁装材の搬送方向に対して直交方向に沿って平行に設けられた上下シャフトの対向位置に、上下一対の回転刃を構成するオーバーカッター（上刃）とアンダーカッター（下刃）とがそれぞれ軸止されており、この一対のカッターが搬送されるシート状壁装材を上下から挟んで裁断する構成であった。
【０００４】
ところで、従来の壁装材施工法としては、重ね合わせ施工法、及び、突き合わせ施工法の２つの工法が代表的である。重ね合わせ施工法は、重ね切り施工法とも呼ばれ、隣り合う壁装材のジョイント部を数ｃｍ重ねた後に、両壁装材をカッター等の刃物で重ね裁断し、両壁装材の不要な部分を取り除いた後、ジョイントローラー等で納める施工法である。
【０００５】
一方、突き合わせ施工法は、突きつけ施工法とも呼ばれ、予め壁面に貼着した壁装材に別の壁装材を貼着する際に、隣接する壁装材同士の小口面を突き合わせて納める施工法である。
【０００６】
しかしながら、重ね合わせ施工法では、ジョイント部が比較的美しく仕上がるが、下地を直接切るために、下地表面が乾燥に伴う壁装材の縮みに追従できず、目透きや剥離クレームが発生することがあった。特に、下地材には石膏ボード等のように、糊付された壁装材を良好に貼着保持するため表面に紙材が貼着されている場合には、貼着後の壁装材の縮みによって下地材の紙材が両壁装材に引っ張られ、傷が入った部分が目透きとなって現れることがあった。
【０００７】
そこで、現状では、突き合わせ施工法が、内装施工法の主流となりつつあるが、貼着される壁装材の小口部に高い直線性及び平滑性が要求されることとなり、裁断小口部に高い直線性及び平滑性を得ることができる壁装材糊付用スリッターとして、１枚の回転刃によって壁装材を裁断することが提案され、より高い直線性及び平滑性を得るため、壁装材の裁断地点で回転刃の刃部に沿って壁装材面を一定高さ位置に保持する周壁部を有する回転部材によって壁装材の撓みやブレ等を解消する壁装材用スリッター及びスリッターユニットが提案された（例えば、特許文献１参照）。
【０００８】
この壁装材用スリッター及びスリッターユニットでは、高速に回転する回転刃の壁装材の裁断地点で、ハブに当接する回転部材の平坦面が角度を持って当接するように数度傾けて配することにより、確実な壁装材の裁断効果が得られることが開示されている。これは、特許文献１の実施例に示す通り、「回転部材(24)を１度程度の角度を持たせて回転刃(22)と当接させる」ことが開示されており、「回転部材(24)と回転刃(22)とは、クロス(4) の裁断の際に、クロス(4) が回転部材(24)と回転刃(22)との間隙に侵入しないように（特許文献１段落番号００３９参照）」するためである。
【特許文献１】特開２００２−１０３２７７
【発明の開示】
【発明が解決しようとする課題】
【０００９】
しかしながら、壁装材の素材によって、裁断面が荒れたり、一部分切断されていない部分があったりする場合があった。これは織物を表層に備えた織物壁装材等に多く、特に厚手の織物壁装材や繊維を不規則に表層に備えた壁装材で多かった。
【００１０】
本発明は、厚手の織物壁装材や繊維を不規則に表層に備えた壁装材でも良好な裁断状態を得ることのできる壁紙糊付機用スリッター及び壁紙糊付機用スリッターユニットを得ることを目的とする。
【課題を解決するための手段】
【００１１】
請求項１に記載された発明に係る壁紙糊付機用スリッターは、シート状の壁装材の搬送方向側縁部を搬送方向に沿って裁断する壁紙糊付機用スリッターにおいて、
前記壁装材の表面側又は裏面側で搬送方向に直交し、壁装材面に平行する位置に配されたシャフトと、
このシャフト上に軸止された肉薄の刃部を備えた壁装材裁断用回転刃と、
前記壁装材を介した対向面側の裁断地点で前記回転刃の刃部周縁部を側面側から回転方向に交叉する方向に押圧する押圧部材とを備えたことを特徴とするものである。
【００１２】
請求項２に記載された発明に係る壁紙糊付機用スリッターは、請求項１に記載の押圧部材が、前記シャフト上で回転している回転刃の刃部を裁断地点で微小に撓ませるものであることを特徴とするものである。
【００１３】
請求項３に記載された発明に係る壁紙糊付機用スリッターは、請求項１又は２に記載の押圧部材として、前記壁装材を介した対向面側で前記シャフトと略平行に配された取付軸に回動自在に軸支された回転部材を備え、
前記回転部材が、前記裁断地点を端部とした前記回転刃の周縁部との部分的な重なり領域で前記回転刃に押圧される平坦面部を備え、
この平坦面部の回転刃の刃部に対する傾斜角度が３度以上１０度以下であることを特徴とするものである。
【００１４】
請求項４に記載された発明に係る壁紙糊付機用スリッターユニットは、駆動手段を備えたスリッター本体に対して着脱自在のスリッターユニットであって、
壁装材の表面側又は裏面側で搬送方向に直交し、壁装材面に平行する位置で駆動系の駆動によって回動可能に配されるシャフトと、
このシャフト上に軸止された肉薄の刃部を備えた壁装材裁断用回転刃と、
前記壁装材を介した対向面側の裁断地点で前記回転刃の刃部周縁部を側面側から回転方向に交叉する方向に押圧する押圧部材とを備えたことを特徴とするものである。
【００１５】
請求項５に記載された発明に係る壁紙糊付機用スリッターユニットは、請求項４に記載の押圧部材が、前記シャフト上で回転している回転刃の刃部を裁断地点で微小に撓ませるものであることを特徴とするものである。
【００１６】
請求項６に記載された発明に係る壁紙糊付機用スリッターユニットは、請求項４又は５に記載の押圧部材として、前記壁装材を介した対向面側で前記シャフトと略平行に配された取付軸に回動自在に軸支された回転部材を備え、
前記回転部材が、前記裁断地点を端部とした前記回転刃の周縁部との部分的な重なり領域で前記回転刃に押圧される平坦面部を備え、
この平坦面部の回転刃の刃部に対する傾斜角度が３度以上１０度以下であることを特徴とするものである。
【００１７】
請求項７に記載された発明に係る壁紙糊付機用スリッターユニットは、請求項６に記載の回転部材がスリッターユニット本体に両端を固定された取付軸にベアリングを介して貫通支持され、
前記取付軸が前記回転部材の平坦面部の回転刃の刃部に対する傾斜角度が３度以上１０度以下となるように傾斜させてユニット本体に取付けられ、
前記回転部材を前記回転刃方向に付勢する付勢手段を備えたことを特徴とするものである。
【発明の効果】
【００１８】
本発明は、裁断される壁装材の裁断小口部に高い直線性及び平滑性を得ることができることは勿論のこと、厚手の織物壁装材や繊維を不規則に表層に備えた壁装材でも良好な裁断状態を得ることができるという効果がある。
【発明を実施するための最良の形態】
【００１９】
本発明においては、シート状の壁装材の搬送方向側縁部を搬送方向に沿って裁断する壁紙糊付機用スリッターにおいて、前記壁装材の表面側又は裏面側で搬送方向に直交し、壁装材面に平行する位置に配されたシャフトと、このシャフト上に軸止された肉薄の刃部を備えた壁装材裁断用回転刃と、前記壁装材を介した対向面側の裁断地点で前記回転刃の刃部周縁部を側面側から回転方向に交叉する方向に押圧する押圧部材とを備えるものであるため、厚手の織物壁装材や繊維を不規則に表層に備えた壁装材でも良好な裁断状態を得ることができる。
【００２０】
即ち、裁断面が荒れたり、一部分切断されていない部分があった。これは、回転刃による壁装材の裁断においては、回転刃がまっすぐの一直線で先端部が鋭い刃で、厚手の織物壁装材や繊維を不規則に表層に備えた壁装材を裁断する場合には、壁装材の搬送方向や回転刃の回転方向に沿うような繊維が裁断地点で裁断されず、裁断地点の下流側で裁断されて、結果的に裁断面が荒れたり、一部分切断されていない部分となることが本発明者らによって検証された。
【００２１】
そこで、裁断地点で回転刃の刃部周縁部を側面側から回転方向に交叉する方向に押圧する押圧部材によって、回転刃の刃部を裁断地点で微小に撓ませる。これにより、裁断地点を過ぎた地点では、撓んだ刃部が元の状態に戻る力が働く。従って、裁断地点で刃部が壁装材を切り込んだ後に、被裁断地点を横方向に分けて、壁装材の搬送方向や回転刃の回転方向に沿うような繊維であっても裁断地点及びそれを過ぎた後でも良好に裁断されるため、厚手の織物壁装材や繊維を不規則に表層に備えた壁装材でも良好な裁断状態を得ることができる。
【００２２】
本発明の押圧部材としては、回転刃の刃部を裁断地点で微小に撓ませるために、裁断地点で回転刃の刃部周縁部を側面側から回転方向に交叉する方向に押圧するものであれば良い。
【００２３】
本発明の好ましい態様としては、押圧部材として前記壁装材を介した対向面側で前記シャフトと略平行に配された取付軸に回動自在に軸支された回転部材を備え、前記回転部材が、前記裁断地点を端部とした前記回転刃の周縁部との部分的な重なり領域で前記回転刃に押圧される平坦面部を備え、この平坦面部の回転刃の刃部に対する傾斜角度が３度以上１０度以下であるものを開示する。これにより、裁断される壁装材の裁断小口部に高い直線性及び平滑性を得ることができることは勿論のこと、厚手の織物壁装材や繊維を不規則に表層に備えた壁装材でも良好な裁断状態を得ることができる。
【００２４】
本発明における押圧部材としての回転部材は、前記裁断地点を端部とした前記回転刃の周縁部との部分的な重なり領域で前記回転刃に押圧される平坦面部を備えればよい。壁装材を介した対向面側でシャフトと略平行に配された取付軸に回動自在に軸線が軸支されているため、回転部材と回転刃との間隙が実質的になく、高い裁断小口部の直線性及び平滑性を得ることができる。また、平坦面部の回転刃の刃部に対する傾斜角度が３度以上１０度以下であるため、確実な壁装材の裁断効果が得られる。
【００２５】
尚、平坦面部の回転刃の刃部に対する傾斜角度が、３度より小さければ、壁装材の素材によって、裁断面が荒れたり、一部分裁断されていない部分があったりする場合がある。また、１０度より大きければ、回転刃の刃部に係る押圧力が大きくなりすぎ、刃部の撓みが大きくなりすぎ、損傷が大きくなって、使用期間が大幅に短縮されるため、メンテナンス（回転刃の交換）の期間を短くする必要がある。よって、５度以下がより好ましい。
【００２６】
本発明の回転部材の具体的な構成としては、回転部材を軸支する取付軸は、回転刃を軸支するシャフトと略平行に配されるが、取付軸を平行にして回転部材の取付角度を傾斜させても良いが長期の使用に際して取付角度が変わるおそれがある。そのため、取付軸自体を傾斜させて両軸端をしっかりと固定し、回転部材をこの取付軸に回動自在に軸支させる方が傾斜角度の経年変化が少ない。尚、回転部材と取付軸とはベアリングを介して軸支させることにより、回転部材が容易に回動することが可能となる。また、回転刃への回転部材の押圧はバネ材を取付軸に遊貫させることにより行えば構成が簡略化できる。
【００２７】
尚、好ましくは、回転部材の回転刃への当接部分が砥材とすることにより、使用に伴う回転刃の劣化が極力抑えられ、回転刃の長期にわたる使用が可能となる。砥材としては、回転刃への当接回動によって回転刃を研ぐことが可能な材質であればよく、例えばセラミック製の部材が選択される。
【００２８】
本発明における回転部材の径は、回転部材の押圧に関して何ら制限されるものではない。しかしながら、回転部材の径を回転刃と同等にすると、スリッター背面に大きく突き出ることとなるため、設計上好ましくはない。更に、回転刃の径と比較して小さくすることにより、押圧された回転刃の回転によって、独自の駆動源を有さない回転部材が容易に回動することが可能となる利点も生まれる。しかしながら、あまりにも小さくすると、壁装材の裁断地点で回転刃の刃部への押圧角度にムラが生じ易くなり、直線状の裁断が得られ難くなるため、好ましくは回転部材の径が、回転刃の径に対して、１／２以下１／４以上とする。
【００２９】
本発明においては、回転部材が回転刃の回転によって回転するため、回転部材自身を駆動する駆動系は必要ない。このため、シャフトと、回転刃と、取付軸と、回転部材とを一つのハウジング内に配置し、これを壁装材の搬送方向に直交する軸線上の予め定められた位置に固定することで、スリッターの構成を簡略化できる。
【００３０】
好ましくは、このハウジングには、例えば彎曲した曲面を有し、該彎曲面上を裁断された壁装材の側縁部を滑らせつつ排出される耳切ガイドを備えることで、側縁部の排出もスムーズに行うことができる。
【００３１】
本発明の壁紙糊付機用スリッターユニットは、駆動手段を備えたスリッター本体に対して着脱自在のスリッターユニットであって、壁装材の表面側又は裏面側で搬送方向に直交し、壁装材面に平行する位置で駆動系の駆動によって回動可能に配されるシャフトと、このシャフト上に軸止された肉薄の刃部を備えた壁装材裁断用回転刃と、前記壁装材を介した対向面側の裁断地点で前記回転刃の刃部周縁部を側面側から回転方向に交叉する方向に押圧する押圧部材とを備えるため、裁断される壁装材の裁断小口部に高い直線性及び平滑性を得ることができ、スリッターの構成が簡略化できる。
【００３２】
また、本発明の好ましい態様としては、前記回転部材がスリッターユニット本体に両端を固定された取付軸にベアリングを介して貫通支持され、前記取付軸が前記回転部材の平坦面部の回転刃の刃部に対する傾斜角度が３度以上１０度以下となるように傾斜させてユニット本体に取付けられ、前記回転部材を前記回転刃方向に付勢する付勢手段を備えることにより、取付軸自体が傾斜させて両軸端をしっかりと固定され、回転部材をこの取付軸に回動自在に軸支させているため、傾斜角度の経年変化が少ない。また、回転部材と取付軸とはベアリングを介して軸支させたことにより、回転部材が容易に回動することが可能となる。更に、回転刃への回転部材の押圧はバネ材を取付軸に遊貫させることにより行えば構成が簡略化できる。
【実施例】
【００３３】
図１は本発明の壁紙糊付機用スリッターを備えた壁紙糊付機の簡略構成を示す説明図である。図１に示す通り、自動壁紙糊付機本体部１には、主なロールとして上部構体２内に糊付機本体部１内に後部側から取り込まれたクロス（壁装材）４に糊付機本体部１の前部方向への送り出し張力を付与するための押さえロール１１と、クロス４を上から押さえて追従回転するドライブロール１２とが互いに所定間隔で平行に配列されるように、それぞれ上部構体２の側板に軸支されている。
【００３４】
また、下部構体３内には、糊桶５内に収容されている糊を糊上げロール１６で糊上げし、これに当接して糊を転写し搬送されてくるクロス４の裏面に塗布する糊付ロール６と、糊付ロール６に接して糊量を調節するドクターロール７と、前記ドライブロール１２と共にクロス４に適度な張力を与えて前部方向へ送り出す均しロール８とが、互いに所定間隔を持って平行に配列されるように、下部構体３の側板に軸支されている。
【００３５】
また、クロス４は上部構体２の上部ピンチロール１３と、下部構体３の下部ピンチロール１５との引き込み力で糊付機本体１の背面側の壁紙裁断装置（スリッター）２０を通って糊付機本体に引き込まれる。本実施例の裁断装置２０は、図示しない駆動源を裁断装置２０に内蔵しているものを示しているが、糊付機本体から得てもよい。
【００３６】
クロスの糊付施工は、糊付機脚部９から後方へ伸びているクロス受けブラケット１０の先端部に軸支されているクロス原反１４からクロス４先端を引き出し、壁紙裁断装置（スリッター）２０の背面側から、寸動回動させて装置２０内部へ引き込みつつ、回転刃によって両耳部（側縁部）を裁断しながら、装置２０前方から引き出す。尚、両耳部４ａは耳切ガイドから排出される。
【００３７】
裁断装置２０の前方から引出された裁断されたクロス４の先端を、上部構体２を開けた状態で糊付機本体部１の前方から垂らすように下部構体３上に載置した後、上部構体２を閉めて所定ロール間に挟み込んだ初期設定状態を得る。
【００３８】
初期設定終了後、糊付機の駆動源モータの駆動を開始すると共に、裁断装置２０のモータの駆動を開始する。これによって、クロス４の裁断装置２０内の通過の際に回転刃の回転によって両耳部の裁断と、該裁断による幅調整後のクロス４の糊付機本体部１内での糊付が連続的に行われる。尚、裁断装置の駆動源としては、モータの駆動で行うように構成したが糊付機の駆動源の駆動をギア等で伝達してもよい。
【００３９】
図２は裁断装置の構成を示す分解図であり、図３は図２の要部の構成を示す分解図である。図２及び図３に示されるように、裁断装置２０は、断面が略コ字状の本体ハウジング２１とこの両側に配された本体側板２２とを備える。本体側板２２の各々には一対のフック２３が取付けられ、これらを糊付機本体１の背面へ引っ掛けることにより設置される。
【００４０】
本体ハウジング２１の天井面にはオーバステー２４が取付けられ、このオーバステー２４の両側にはスリッターユニット３０が各々内外にスライド可能に保持される。また、本体ハウジング２１の奥の縦内壁面の両側にはスライド可能に保持されたスリッターユニット３０を固定する固定ネジ３１の固定用のスリット溝２５が形成されている。
【００４１】
更に、本体側板２２の各々には、裁断装置の下方でテンションバー２６によってクロスを挟んでテンションを発生させるテンションバー回動部材２７とこれの保持部材２８と、裁断面上で別のテンションバー（図示せず）を保持するテンションバー保持部材２９とが取付けられている。
【００４２】
図４はスリッターユニット３０の側方構成図である。図５は図４の正面構成図である。図６はスリッターユニットを装着した裁断装置の背面側の説明図である。図３，図４，図５，図６に示す通り、スリッターユニット３０は、固定ブラケット３２とこれに連結されたカッターボックス３３とモーターブラケット３４とを備える。これらカッターボックス３３とモーターブラケット３４とは裁断装置１の裁断面を形成しているハウジング２１内に設置される。
【００４３】
カッターボックス３３は内部に回転刃４０が回転可能に軸支され、その前面には裁断後のクロス側端部をスリッタ本体外側へ導出するガイド部材４１が取り付けられている。その回転刃４０の裁断位置に至る部分には押さえ部材３９が装着されており、クロスをガイド部材４１方向へ押さえる。このカッターボックス３３は更に回転刃４０のシャフト４２にモーターの回転軸が連結されたモーターブラケット３４内部の回転刃駆動源としてのモータ３５にギアユニット３６及びギアユニットカバー３７を介して連結されている。
【００４４】
スリッターユニット３０を吊下げる吊下げ機構としては、前述のオーバステー２４にスライド可能に保持されるスライドブラケット３８にモータブラケット３４を吊下することによる。更に、スリッターユニット３０を固定する固定機構としては、カッターボックス３３の側部に設けられた固定ブラケット３２に挿通される固定ネジ３１を本体ハウジング２１のスリット溝２５に緊締することによる。
【００４５】
回転刃４０のシャフト４２は、カッターボックス３３の固定ブラケット３２側の側壁にベアリング４３を介して取付けられる。回転刃４０は厚さが０．５ｍｍの片切刃であり、回転刃取付ボス４４にネジ４５で取付けられる。回転刃４０とこれを保持する回転刃取付ボス４４とを保持したシャフト４２は、ギアユニット３６の出力軸３６’に平爪部４２’で接続されており、バネ４６を介して装着されることにより、回転刃４０は常に外方向への押圧力が配されている。
【００４６】
一方、カッターボックス３３内のクロス裁断位置には、クロスを介した対向面側で回転刃４０のシャフト４２と略平行に配された取付軸５１に回動自在に軸支された回転部材５０を備える。
【００４７】
取付軸５１は軸先端部と取付け座金とを各々ガイド部材４１にネジで固定されている。この取付軸５１のガイド部材への取付け角度は回転刃４０のシャフト４２と略平行であるが、後述するように３度以上１０度以下、具体的には３度傾けて固定される。また、回転部材５０はベアリング５３を介して回動自在に取付軸５１に取付けられている。この回転部材５０は円筒状の構造である。また、回転部材５０の上面の平坦面部の一部が、裁断地点を端部とした回転刃４０の周縁部との部分的な重なり領域を構成するように配置されている。回転部材５０の取付軸５１にはバネ５２が介されており、回転部材５０を当接した回転刃４０の刃部に付勢・押圧している。
【００４８】
図５に示す通り、取付軸５１がシャフト４２に対して３度以上１０度以下、具体的には３度傾けて固定されているため、回転部材５０の平坦面部の回転刃４０の刃部に対する傾斜角度は３度以上１０度以下、具体的には３度となる。これにより、裁断される壁装材の裁断小口部に高い直線性及び平滑性を得ることができることは勿論のこと、厚手の織物壁装材や繊維を不規則に表層に備えた壁装材でも良好な裁断状態を得ることができる。また、取付軸５１自体を傾けて固定し、更にベアリングを介して回転部材と取付軸５１に軸支しているため、長期に亘って使用しても回転部材５０の平坦面部の回転刃４０の刃部に対する傾斜角度の変化が極力少なくなるという利点もある。
【００４９】
尚、回転部材５０は回転刃４０の径と比較して、１／３となっているため、押圧された回転刃４０の回転力によって、独自の駆動源を有さない回転部材５０を保持した取付軸５１が容易に回動することが可能となる。
【００５０】
また、回転部材５０は、回転刃４０に当接する部分がセラミック製の砥材からなる。このため、使用に伴って回転刃４０の刃部を研ぐことになり、回転刃４０の長期にわたる使用が可能となる。
【図面の簡単な説明】
【００５１】
【図１】本発明の壁紙糊付機用スリッターを備えた壁紙糊付機の簡略構成を示す説明図である。
【図２】裁断装置の構成を示す分解図である。
【図３】図２の要部の構成を示す分解図である。
【図４】スリッターユニット３０の側方構成図である。
【図５】図４の正面構成図である。
【図６】スリッターユニットを装着した裁断装置の背面側の説明図である。
【符号の説明】
【００５２】
１…自動壁紙糊付機本体部、
２…上部構体、
３…下部構体、
４…クロス（壁装材）、
４ａ…両耳部、
５…糊桶、
６…糊付ロール、
７…ドクターロール、
８…均しロール、
９…糊付機脚部、
１０…クロス受けブラケット、
１１…押さえロール、
１２…ドライブロール、
１３…上部ピンチロール、
１４…クロス原反、
１５…下部ピンチロール、
１６…糊上げロール、
２０…壁紙裁断装置（スリッター）、
２１…本体ハウジング、
２２…本体側板、
２３…フック、
２４…オーバステー、
２５…スリット溝、
２６…テンションバー、
２７…テンションバー回動部材、
２８…テンションバー保持部材、
２９…テンションバー保持部材、
３０…スリッターユニット、
３１…固定ネジ、
３２…固定ブラケット、
３３…カッターボックス、
３４…モーターブラケット、
３５…モータ、
３６…ギアユニット、
３７…ギアユニットカバー、
３８…スライドブラケット、
３９…押さえ部材、
４０…回転刃、
４１…ガイド部材、
４２…シャフト、
４３…ベアリング、
４４…回転刃取付ボス、
４５…ネジ、
４６…バネ、
５０…回転部材、
５１…取付軸、
５２…バネ、
５３…ベアリング、
【図１】
2007111818.tif 000003
【図２】
2007111818.tif 000004
【図３】
2007111818.tif 000005
【図４】
2007111818.tif 000006
【図５】
2007111818.tif 000007
【図６】
2007111818.tif 000008